(57)【要約】【課題】取り扱いが簡便で、タイル貼付け作業の施工性を向上させることができ、しかも、繰り返し使用した場合においても、タイルの水平、垂直出しと目地幅の一定化を確保することができるタイル貼付用治具を提供する。【解決手段】軸状体２に複数の目地幅形成板材３をタイルの幅に応じた間隔の配置で固定し、この目地幅形成板材３の軸状体２から壁面側に向けて突出する先端部分を薄肉厚部４に形成し、上記軸状体２の目地幅形成板材３を固定した部分の両側を、少なくとも上下に突出させて他の部位と段差５を生じさせている。【選択図】  図２
2004211431.tif 000002
【特許請求の範囲】
【請求項１】
軸状体に複数の目地幅形成板材をタイルの幅に応じた間隔の配置で固定し、この目地幅形成板材の軸状体から壁面側に向けて突出する部分を薄肉厚に形成したタイル貼付用治具。
【請求項２】
上記軸状体の目地幅形成板材を固定した部分の両側を、少なくとも上下に突出させて他の部位と段差を生じさせた請求項１に記載のタイル貼付用治具。
【発明の詳細な説明】
【０００１】
【発明の属する技術分野】
この発明は、壁面等にタイルを貼付ける場合に用いるタイル貼付用治具に関する。
【０００２】
【従来の技術】
タイルを手貼り工法によって施工する場合、タイルを水平、垂直方向に正確に配置することができ、しかも、横目地と縦目地の間隔を均一に仕上げることができるタイル貼付用治具を、本出願人が特許第２６０４５５３号で既に提案した。
【０００３】
この特許第２６０４５５３号で提案したタイル貼付用治具は、タイルの横目地間隔で配置した線材を、タイルの縦目地間隔で配置した糸条で接続して井桁状に組み立て、線材と糸条の接続部分に目地幅形成部材を設けた構造になっている。
【０００４】
このタイル貼付用治具を用いてタイルを貼付けるには、タイル貼付壁面に最上部の線材を取り付け、タイル貼付用治具を吊り下げ状に垂らし、これを定規として、線材と糸条で区画された部分にタイルを貼付けていけばよく、目地幅形成部材が縦目地を形成し、線材が横目地を確保することにより、タイルの水平、垂直出しと目地幅の一定化が可能になる。
【０００５】
【発明が解決しようとする課題】
ところで、上記のようなタイル貼付用治具は、タイル貼付壁面に吊り下げ状に垂らし、上から順にタイルを貼付けるようになっているので、タイルを下から上方に貼付ける作業に比べて施工性が悪いと共に、全体が井桁状に組み立てられているので、取り扱いに不便であるという点で改善の余地が見いだされた。
【０００６】
また、上記タイル貼付用治具は、タイル貼付面に予め塗布した接着剤に目地幅形成部材と線材が重なることになり、このため、目地幅形成部材のタイル貼付壁面に臨む面とその両側面とに接着剤が付着し、線材においてはその上下面にまで接着剤が回り込むことがある。
【０００７】
上記のように、接着剤が付着して固化すると、タイル貼付用治具を繰り返し使用した場合、目地幅形成部材の板厚及び線材の径が変動し、目地幅形成部材と線材の壁面に対する前後位置も変化し、これが原因でタイルの水平、垂直出しに変動が発生したり目地幅が不均一になる。
【０００８】
そこで、この発明の課題は、取り扱いが簡便で、タイルを下から貼付けることができるようにして貼付ける作業の施工性を向上させることができ、しかも、繰り返し使用した場合においても、タイルの水平、垂直出しと目地幅の一定化を確保することができるタイル貼付用治具を提供することにある。
【０００９】
【課題を解決するための手段】
上記のような課題を解決するため、この発明は、軸状体に複数の目地幅形成板材をタイルの幅に応じた間隔の配置で固定し、この目地幅形成板材の軸状体から壁面側に向けて突出する部分を薄肉厚に形成した構成を採用したものである。
【００１０】
上記軸状体の目地幅形成板材を固定した部分の両側を、少なくとも上下に突出させて他の部位と段差を生じさせた構造とすることができる。
【００１１】
ここで、軸状体は合成樹脂製の平板や円軸を用い、目地幅形成板材は縦目地の幅に見合う板厚に形成し、この目地幅形成板材の軸状体から壁面側に突出する部分は、壁面から軸状体を少し浮かすようになり、この壁面側に突出する部分が薄肉厚となり、接着剤の付着発生を少なくしている。
【００１２】
また、軸状体は、少なくとも上下に突出させた部分の上下の厚みが横目地の幅に見合うようになっている。
【００１３】
【発明の実施の形態】
以下、この発明の実施の形態を図示例と共に説明する。
【００１４】
図示のように、タイル貼付用治具１は、合成樹脂製の平板や円軸を用いた長い一本の軸状体２と、この軸状体２の長さ方向にタイルＡの幅に応じた間隔の配置で固定した複数の目地幅形成板材３とで形成されている。
【００１５】
上記目地幅形成板材３は、両側タイルＡ間の縦目地の幅に見合う板厚を有する矩形状に形成され、軸状体２に横孔を外嵌して接着や溶着により軸状体２に固定化され、この目地幅形成板材３の軸状体２から壁面側に突出する部分は、壁面から軸状体２を少し浮かすことになり、壁面側に突出する部分の板厚が薄肉厚部４となり、接着剤の付着発生が少なくなるようにしている。
【００１６】
図１乃至図５は、上記軸状体２に平板２ａを用いた第１の例を示し、平板２ａは上下タイルＡ間の横目地の幅よりも厚みが薄く、平板２ａの目地幅形成板材３を固定した部分の両側を、少なくとも上下に突出させて他の部位と段差５を生じさせている。
【００１７】
図示の場合、平板２ａの目地幅形成板材３を取り付ける部位に断面コ字状部材６を固定することにより、目地幅形成板材３の両側で上下の段差５を生じさせ、この断面コ字状部材６の上下厚み寸法を上下タイルＡ間の横目地の幅に一致させていると共に、目地幅形成板材３はこの断面コ字状部材６の部分に外嵌固定されている。
【００１８】
図６と図７は、上記軸状体２に円軸２ｂを用いた例を示し、円軸２ｂは上下タイルＡ間の横目地の幅よりも小径とし、円軸２ｂの目地幅形成板材３を固定した部分の両側を、少なくとも上下に突出させて他の部位と段差５を生じさせている。
【００１９】
図示の場合、円軸２ｂの目地幅形成板材３を取り付ける部位に外筒７を固定することにより、目地幅形成板材３の両側で上下の段差５を生じさせ、この外筒７の直径を上下タイルＡ間の横目地の幅に一致させていると共に、目地幅形成板材３はこの外筒７の部分に外嵌固定されている。
【００２０】
このように、軸状体２における目地幅形成板材３の両側を他の部位より上下に突出させると、両側の目地幅形成板材３間に嵌め込んだタイルＡのコーナ部分が突出部分に重なり、軸状体２の他の部位とタイルＡの間に隙間が発生し、軸状体２に接着剤が付着している場合でも、この隙間によって接着剤の影響を回避することができることになる。
【００２１】
なお、軸状体２は、全長を横目地の幅に一致する板厚や直径にしたものであってもよい。
【００２２】
この発明のタイル貼付用治具１は、上記のような構成であり、次に、この治具を用いたタイル貼付工法を説明する。
【００２３】
図４のように、タイル貼付け壁面Ｂに接着剤を塗布すると共に、帯状の板を用いた板治具８をこの壁面Ｂの下部に釘９を用いて水平に固定する。
【００２４】
上記板治具８には、長さ方向の上端部に、目地幅形成板材３が嵌まり込む切り欠き１０が、目地幅形成板材３と一致する配置間隔で設けられているので、図１と図２のように、タイル貼付用治具１を板治具８の直上に臨ませ、各目地幅形成板材３を対応する切り欠き１０に嵌め込み、軸状体２を板治具８上に重ねて目地幅形成板材３の先端側を壁面Ｂに押し当てる。
【００２５】
これによって、タイル貼付用治具１は水平の配置となり、先ず、下部一段目のタイルＡの下端部を目地幅形成板材３間に嵌め、その下縁を軸状体２上に載せた状態で壁面Ｂに貼り付ける。
【００２６】
隣接する各タイルＡは、横方向に水平の配置となり、目地幅形成板材３を挟むことによって縦目地が確保され、次に、図１と図５のように、壁面Ｂに貼り付けたタイルＡの直上にタイル貼付用治具１を臨ませ、各目地幅形成板材３の下部をタイルＡの縦目地間に嵌め込み、軸状体２をタイルＡの上端に重ねて目地幅形成板材３の先端側を壁面Ｂに押し当てる。
【００２７】
この状態でタイルＡの上に位置するタイル貼付用治具１の目地幅形成板材３間に下部二段目のタイルＡの下端部を嵌め、その下縁を軸状体２上に載せた状態で壁面Ｂに貼り付ける。
【００２８】
このように、タイルＡを下部から順に貼り付けると共に、その上部にタイル貼付用治具１を取り付け、これを順に上方へ繰り返すことにより、壁面Ｂに対してタイルＡを貼付けることができ、各タイルＡ間には目地幅形成板材３によって一定の縦目地が、また、軸状体２によって一定の横目地が形成されることになり、タイルＡの固定後に、各タイル貼付用治具１を目地幅形成板材３の部分で手前に引いて壁面Ｂから剥がすことにより取り除き、その後、各目地を目地材で仕上げるようにすればよい。
【００２９】
上記したタイルＡの貼付け工程において、壁面Ｂに予め接着剤が塗布してあるため、タイル貼付用治具１における目地幅形成板材３の先端に接着剤が付着することになるが、目地幅形成板材３の先端は薄肉厚部４となっているので、接着剤の付着量を少なくすることができ、また、軸状体２に対して目地幅形成板材３の先端が壁面Ｂ側に突出しているので、軸状体２に対して直接接着剤が付着しないと共に、よしんば、軸状体２に接着剤が付着しても、軸状体２は目地幅形成板材３を固定した部分の両側が他の部位よりも上下に突出しているので、付着した接着剤がタイルＡと干渉することがなく、従って、接着剤が付着しても再使用時のタイル貼付けに支障を与えることがなく、タイル貼付用治具１の繰り返し使用が可能になる。
【００３０】
【発明の効果】
以上のように、この発明によると、軸状体に複数の目地幅形成板材をタイルの幅に応じた間隔の配置で固定し、この目地幅形成板材の軸状体から壁面側に向けて突出する先端側を薄肉厚に形成したので、壁面へのタイル貼付け使用時において、目地幅形成板材の先端への接着剤の付着量を少なくし、かつ、軸状体に対して直接接着剤が付着しないようにすることができ、再使用時のタイル貼付けに、前後の位置変動の発生を少なくして、タイル貼付け精度の向上を図ることができる。
【００３１】
また、タイル貼付用治具は、軸状体に目地幅形成板材を取り付けた単品となるので、その取り扱いが便利になるだけでなく、壁面へのタイル貼付けが壁面の下部から上方に移行する貼付け工程が実施でき、貼付け作業の施工性が向上する。
【００３２】
さらに、軸状体の目地幅形成板材を固定した部分の両側を、少なくとも上下に突出させて他の部位と段差を生じさせたので、軸状体と上下タイルの間に隙間を確保することができ、軸状体に接着剤が付着しても再使用時のタイル貼付けに支障を与えることがなく、タイルの水平、垂直出しと目地幅の一定化を確保することができ、これにより、タイル貼付用治具を繰り返し使用することができる。
【図面の簡単な説明】
【図１】この発明に係る第１の例のタイル貼付用治具を示す使用状態の正面図
【図２】この発明に係る第１の例のタイル貼付用治具と板治具を示す分解斜視図
【図３】この発明に係る第１の例のタイル貼付用治具を示す使用状態の拡大した正面図
【図４】この発明に係る第１の例のタイル貼付用治具を示す一段目タイルの貼付け状態の縦断側面図
【図５】この発明に係る第１の例のタイル貼付用治具を示す二段目タイルの貼付け状態の縦断側面図
【図６】この発明に係る第２の例のタイル貼付用治具を示す要部の斜視図
【図７】この発明に係る第２の例のタイル貼付用治具を示す一段目タイルの貼付け状態の縦断側面図
【符号の説明】
１  タイル貼付用治具
２  軸状体
３  目地幅形成板材
４  薄肉厚部
５  段差
６  断面コ字状部材
７  外筒
８  板治具
１０  切り欠き
【図１】
2004211431.tif 000003
【図２】
2004211431.tif 000004
【図３】
2004211431.tif 000005
【図４】
2004211431.tif 000006
【図５】
2004211431.tif 000007
【図６】
2004211431.tif 000008
【図７】
2004211431.tif 000009